(57)【要約】  展示装置（１００）は、透過型スクリーン（例えば、筐体（１）が有する台（５）の側面により構成された第１透過型スクリーン（６）及び台（５）の上面により構成された第２透過型スクリーン（７））と、透過型スクリーンに映像を投影するプロジェクタ（９）を備える。展示装置（１００）は、透過型スクリーンを基準としてプロジェクタ（９）とは反対側において展示物（１０）を支持可能に構成されている。
2016136067.tif 000002
【特許請求の範囲】
【請求項１】
透過型スクリーンと、
前記透過型スクリーンに映像を投影するプロジェクタと、
を備え、
前記透過型スクリーンを基準として前記プロジェクタとは反対側において展示物を支持可能に構成されている展示装置。
【請求項２】
前記プロジェクタを収容する筐体を備え、
前記筐体の外殻の一部分が前記透過型スクリーンにより構成されている請求項１に記載の展示装置。
【請求項３】
前記筐体の前記外殻の上面部は、前記展示物を支持する台を有するとともに、前記透過型スクリーンを含んでいる請求項２に記載の展示装置。
【請求項４】
前記台は中空であり、
少なくとも前記台の側面が前記透過型スクリーンである請求項３に記載の展示装置。
【請求項５】
前記側面のうちの少なくとも１つの側面は、当該側面の下面と前記台の上面とのなす角度が鈍角となるように傾斜している請求項４に記載の展示装置。
【請求項６】
前記台の上面も前記透過型スクリーンである請求項４又は５に記載の展示装置。
【請求項７】
前記台の内部空間は、前記プロジェクタの配置領域と連通している請求項４乃至６の何れか一項に記載の展示装置。
【請求項８】
前記プロジェクタは、前記筐体に固定され、且つ、前記映像の焦点が前記透過型スクリーンに合うように調整されている請求項２乃至７の何れか一項に記載の展示装置。
【請求項９】
前記展示物が支持される位置を撮像する撮像部と、
前記撮像部により撮像された画像に基づいて前記プロジェクタによる投影を制御する制御部と、
を備える請求項１乃至８の何れか一項に記載の展示装置。
【請求項１０】
前記制御部は、前記撮像部により撮像された画像に基づいて前記展示物の種類を判別し、その判別結果に応じて前記プロジェクタによる投影を制御する請求項９に記載の展示装置。
【請求項１１】
プロジェクタが透過型スクリーンに映像を投影している状態で、前記透過型スクリーンを基準として前記プロジェクタとは反対側において展示物を支持する工程を備える展示方法。
【発明の詳細な説明】
【技術分野】
【０００１】
本発明は、展示装置及び展示方法に関する。
【背景技術】
【０００２】
商品等の展示物を展示する展示装置としては、映像の表示を行うことが可能なものがある。【０００３】
特許文献１には、上面に載置された展示物と関連する立体的な二次元映像を表示することが可能な展示装置が記載されている。
この展示装置は、ディスプレイを収容する筐体と、筐体の上面に配設された結像光学素子とを備え、ディスプレイに表示された映像を、結像光学素子を介して、筐体の上面の上方に空間像として結像させる。【０００４】
特許文献２には、商品のプロモーションや商品説明などを投影するプロジェクタについて記載されている。
【先行技術文献】
【特許文献】
【０００５】
【特許文献１】特開２０１４−２３８４９３号公報
【特許文献２】特開２０１１−１７１２５９号公報
【発明の概要】
【発明が解決しようとする課題】
【０００６】
しかしながら、特許文献１の技術では、空間に浮かび上がる空間像を表示するものであり、物体の表面を表示面として利用するものではないため、表示がぼんやりとしたものとなる。
一方、特許文献２の技術では、商品の正面側などからプロジェクタにより映像を投影するため、商品の陰となる部位には映像を投射することができない。
これらのことから、特許文献１、２の技術では、必ずしも効果的な表示を行うことができない。【０００７】
本発明の目的は、映像の表示を効果的に行うことが容易な展示装置及び展示方法を提供することにある。
【課題を解決するための手段】
【０００８】
本発明は、
透過型スクリーンと、
前記透過型スクリーンに映像を投影するプロジェクタと、
を備え、
前記透過型スクリーンを基準として前記プロジェクタとは反対側において展示物を支持可能に構成されている展示装置を提供する。【０００９】
また、本発明は、
プロジェクタが透過型スクリーンに映像を投影している状態で、前記透過型スクリーンを基準として前記プロジェクタとは反対側において展示物を支持する工程を備える展示方法を提供する。
【発明の効果】
【００１０】
本発明によれば、映像の表示を効果的に行うことが容易である。
【図面の簡単な説明】
【００１１】
上述した目的、およびその他の目的、特徴および利点は、以下に述べる好適な実施の形態、およびそれに付随する以下の図面によってさらに明らかになる。【００１２】
【図１】第１の実施形態に係る展示装置の斜視図である。
【図２】第１の実施形態に係る展示装置の正面断面図である。
【図３】第１の実施形態に係る展示装置のブロック図である。
【図４】図４（ａ）及び（ｂ）は第２の実施形態に係る展示装置の正面断面図である。
【図５】第２の実施形態に係る展示装置のブロック図である。
【図６】第３の実施形態に係る展示装置の正面断面図である。
【図７】第３の実施形態に係る展示装置のブロック図である。
【図８】変形例１に係る展示装置の正面断面図である。
【図９】変形例２に係る展示装置の正面断面図である。
【発明を実施するための形態】
【００１３】
以下、本発明の実施形態について、図面を用いて説明する。なお、すべての図面において、同様の構成要素には同一の符号を付し、適宜に説明を省略する。
【００１４】
〔第１の実施形態〕
図１は第１の実施形態に係る展示装置１００の斜視図である。
図２は第１の実施形態に係る展示装置１００の正面断面図である。
図３は第１の実施形態に係る展示装置１００のブロック図である。
【００１５】
本実施形態に係る展示装置１００は、透過型スクリーンと、透過型スクリーンに映像を投影するプロジェクタ９を備えている。
そして、展示装置１００は、透過型スクリーンを基準としてプロジェクタ９とは反対側において展示物１０を支持可能に構成されている。
透過型スクリーンとしては、例えば、筐体１が有する台５の側面により構成された第１透過型スクリーン６と、台５の上面により構成された第２透過型スクリーン７と、が含まれる。
以下、詳細に説明する。
【００１６】
展示装置１００は、プロジェクタ９を収容する筐体１を備えている。そして、筐体１の外殻の一部分が透過型スクリーンにより構成されている。
すなわち、筐体１の内部に配置されたプロジェクタ９から、筐体１の外殻の一部分を構成する透過型スクリーンに対して、映像が投影されるようになっている。
展示装置１００は、透過型スクリーンの近傍において、展示物１０を支持及び展示可能に構成されている。換言すれば、展示装置１００は、展示物１０の近傍において、プロジェクタ９により投影された映像の表示を行うことが可能に構成されている。
【００１７】
筐体１の外形形状、すなわち筐体１の外殻の形状は、特に限定されないが、一例として、図１に示されるような直方体形状（例えば立方体形状）とすることができる。筐体１の外殻は、例えば、４つの側面２と、底面８と、上面４と、を有している。
【００１８】
本実施形態の場合、筐体１の外殻は、上面４より上方に突出している台５を有しており、この台５の上面において展示物１０を支持及び展示可能となっている。
なお、本明細書では、上面４と台５とを含む部分を、外殻の上面部３と称する。
【００１９】
筐体１の外殻において、透過型スクリーンにより構成されている部分は、特に限定されず、外殻の上面部３、側面部、底面部における何れの部分でも良い。
第１の実施形態では、上面部３が透過型スクリーンを含んでいるものとする。
すなわち、筐体１の外殻の上面部３は、展示物１０を支持する台５を有するとともに、透過型スクリーンを含んでいる。
そして、台５又は上面４の少なくとも一部分が透過型スクリーンとなっている。
【００２０】
より具体的には、本実施形態の場合、台５は中空であり、少なくとも台５の側面が透過型スクリーン（第１透過型スクリーン６）である。更に、例えば、台５の上面も透過型スクリーン（第２透過型スクリーン７）である。なお、第２透過型スクリーン７は、例えば、水平に配置されている。
【００２１】
プロジェクタ９は、第１透過型スクリーン６及び第２透過型スクリーン７に映像を投影する。
第１透過型スクリーン６及び第２透過型スクリーン７に投影された映像は、筐体１の外部から視認可能である。
すなわち、展示装置１００は、いわゆるリア投影によって、透過型スクリーンに映像を表示させるように構成されている。
【００２２】
プロジェクタ９は、例えば、台５の下方に配置されており、投影光を上向きに放射する。
また、台５の側面のうちの少なくとも１つの側面は、当該側面の下面と台５の上面とのなす角度が鈍角となるように傾斜している。
これにより、台５の側面である第２透過型スクリーン７の一部分又は全体が、プロジェクタ９の投射方向（プロジェクタ９の投影レンズから投影光が放射される範囲の中心線方向）に対して傾斜した構成とすることができる。
よって、台５の下方から投影される映像を第２透過型スクリーン７の一部分又は全体において容易且つ明瞭に表示することができる。また、第２透過型スクリーン７の一部分又は全体に表示される映像の補正処理も簡単なものとすることができる。
より具体的には、例えば、台５が裾広がりとなるように、台５の側面である第２透過型スクリーン７の全体が傾斜している。
【００２３】
台５の側面、すなわち第２透過型スクリーン７の傾斜角度は、特に限定されない。
ただし、本実施形態のように台５の下方からプロジェクタ９による投影を行う場合、鉛直方向に対する第２透過型スクリーン７の角度が大きいほど（第２透過型スクリーン７が水平面に近づくほど）、第２透過型スクリーン７において映像を明瞭に且つ簡単な補正処理により表示することが容易となる。
その一方で、鉛直方向に対する第２透過型スクリーン７の角度をある程度以下の小さい角度にすることにより（第２透過型スクリーン７をある程度以上、鉛直面に近づけることにより）、第２透過型スクリーン７に表示される映像を展示装置１００の周囲から容易に視認できるようになる。すなわち、第２透過型スクリーン７を上からのぞき込まなくても、映像を容易に視認できるようになる。
それらの観点から、第２透過型スクリーン７の傾斜角度（第２透過型スクリーン７と鉛直方向とのなす角度）は、１５°以上であることが好ましく、３０°以上であることがより好ましい。また、当該傾斜角度は、７５°以下であることが好ましく、６０°以下であることがより好ましい。更に好ましくは、当該傾斜角度は、４０°以上５０°以下の角度（４５°に近い角度）とすることができる。
【００２４】
第２透過型スクリーン７である台５の側面は、複数の平面により構成されていることが好ましく、これにより、映像を第２透過型スクリーン７において容易に且つ明瞭に表示することができるとともに、映像の補正処理も簡単なものとすることができる。
台５は、例えば、四角錐台形状などの角錐台形状に形成されている。図１に示すように台５が四角錐台形状の場合、第１透過型スクリーン６は４つの平面により構成されている。
【００２５】
上面４における台５の配置は、特に限定されないが、例えば、図１に示すように、台５の中央部とすることができる。この場合、平面視において、台５の周囲に上面４が存在しており、上面４の外形線の内側に台５が収まっていることになる。
【００２６】
また、プロジェクタ９から透過型スクリーンまでの距離は、ある程度以上確保する必要がある。したがって、プロジェクタ９を筐体１の底面８上に配置することにより、筐体１の高さ寸法を極力小さくすることが可能となる。ただし、プロジェクタ９は、底面８よりも上方に配置されていても良い。
【００２７】
プロジェクタ９は、筐体１に固定され、且つ、映像の焦点が第１透過型スクリーン６及び第２透過型スクリーン７に合うように調整されていることが好ましい。すなわち、プロジェクタ９の位置や投影レンズの焦点などの調整が予めなされた上で、プロジェクタ９が筐体１に固定されている。
これにより、展示装置１００を新しい場所に配置する度にプロジェクタ９の焦点位置の調整を行う必要が無く、展示装置１００のセッティングは、例えば、展示装置１００を所望の場所に置くだけで良いこととなる。
【００２８】
また、中空の台５の内部空間は、例えば、筐体１内におけるプロジェクタ９の配置領域と連通している（図２）。これにより、プロジェクタ９から第１透過型スクリーン６及び第２透過型スクリーン７までの間を遮るものがないようにできる。よって、プロジェクタ９から第１透過型スクリーン６及び第２透過型スクリーン７に映像を直接且つ明瞭に投影することができる。
【００２９】
ここで、透過型スクリーン（第１透過型スクリーン６及び第２透過型スクリーン７）は、図２に示すように、例えば、透光板１２と、透光板１２の一方の面（例えば、透光板１２におけるプロジェクタ９側の面）に貼り付けられたスクリーンシート１３と、を備えて構成されている。
すなわち、本実施形態の場合、台５は、台５の形状に形成された透光板１２と、透光板１２の内面に貼り付けられたスクリーンシート１３と、により構成されている。
透光板１２は、例えば、アクリル等の透光性の樹脂板、或いはガラス板などである。透光板１２の周縁部は、上面４に形成された開口４ａの内周縁に対して、例えば接着剤等を用いて固定されている。
スクリーンシート１３は、一般的なリア投影用の、シート状に形成された半透明のスクリーン素材により構成されている。
【００３０】
一方、筐体１における上面４及び側面２は、例えば、それぞれ遮光性の板部材により構成されている。一例として、上面４及び側面２は、遮光性の樹脂部材により構成されているか、或いは、上面４及び側面２の外面又は内面には、遮光シートが貼り付けられている。特に、上面４及び側面２を黒色等の暗色にすることによって、透過型スクリーンである台５を目立たせることができる。
筐体１の底面８についても、同様に、遮光性の板部材により構成したり、黒色等の暗色にすることができる。
【００３１】
図３に示すように、展示装置１００は、プロジェクタ９による投影を制御する制御部１１を備えている。制御部１１の制御下でプロジェクタ９により透過型スクリーンに投影を行う手法としては、いわゆるプロジェクションマッピングを採用することができる。
【００３２】
制御部１１は、例えば、プロジェクタ９の制御用などのプログラムを記憶保持しているＲＯＭ（Ｒｅａｄ  Ｏｎｌｙ  Ｍｅｍｏｒｙ）と、このプログラムに従って制御処理を実行するＣＰＵ（Ｃｅｎｔｒａｌ  Ｐｒｏｃｅｓｓｉｎｇ  Ｕｎｉｔ）と、このＣＰＵの作業領域などとして機能するＲＡＭ（Ｒａｎｄｏｍ  Ａｃｃｅｓｓ  Ｍｅｍｏｒｙ）と、を備えて構成されている。なお、ＲＡＭには映像コンテンツが記憶保持されており、制御部１１は、例えば、この映像コンテンツをプロジェクタ９により投影させる。
制御部１１としては、例えば、ノート型パーソナルコンピュータ、或いは、タブレット型情報処理端末などを用いることができる。
【００３３】
図２に示すように、制御部１１は、筐体１に収容されていることが好ましい。この場合、制御部１１は筐体１に固定されていることが好ましい。
ただし、制御部１１は、筐体１の外部に配置されていても良い。
【００３４】
次に、本実施形態に係る展示方法を説明する。
この展示方法は、プロジェクタ９が透過型スクリーンに映像を投影している状態で、透過型スクリーンを基準としてプロジェクタ９とは反対側において展示物１０を支持する工程を備える。
換言すれば、この展示方法は、展示物１０を支持及び展示している状態で、透過型スクリーンを基準として展示物１０とは反対側に配置されたプロジェクタ９から、透過型スクリーンに映像を投影する工程を備える。
以下、詳細に説明する。
【００３５】
展示物１０は、特に限定されないが、例えば、店舗で販売される商品であることが挙げられる。その場合、展示装置１００は、店舗内または店頭に設置され、プロジェクタ９による投影によって、いわゆるデジタルサイネージやＰＯＰ（Ｐｏｉｎｔ  Ｏｆ  Ｐｕｒｃｈａｓｅ  ａｄｖｅｒｔｉｓｉｎｇ）などと称される広告（販促）を行うことができる。
プロジェクタ９がプロジェクションマッピングで投影する映像コンテンツは、例えば、商品と関連する動画や静止画とすることができる。なお、商品とは関連性のない映像（単に人目を引く目的の映像など）をプロジェクタ９により投影しても良い。
また、商品以外の展示物１０の例としては、例えば、博物館や美術館等の展示場に展示されるもの（恐竜の骨、その他の化石、貴重な鉱物、美術工芸品など）が挙げられる。
【００３６】
第１透過型スクリーン６に表示させる映像と、第２透過型スクリーン７に表示させる映像とは、同種の映像であったり、或いは一の映像の一部分ずつであったりしても良い。
或いは、第１透過型スクリーン６と第２透過型スクリーン７とに互いに異なる映像を表示させても良い。すなわち、展示装置１００は、複数の表示領域（複数の透過型スクリーン）を備え、表示領域に応じて異なる映像を表示するように構成されていても良い。
【００３７】
透過型スクリーンのうち、第１透過型スクリーン６は、水平でない傾斜面となっているため、展示装置１００の周囲の、比較的遠い位置からでも容易に視認可能である。このため、表示される映像の訴求性をより高めることができる。
【００３８】
また、傾斜面となっている第１透過型スクリーン６では、投影される映像に立体感を醸し出しやすい。このため、第１透過型スクリーン６では、より訴求性の高い映像表示を容易に行うことができる。
特に、第１透過型スクリーン６は、台５の側面（側周面）により構成されているため、台５の周囲の３６０°全体に亘って映像表示が可能であるので、より容易に映像に立体感を出すことができる。
具体的な一例として、第１透過型スクリーン６では、魚が台５の周囲（側面）をぐるぐると泳いでいる映像を表示することなどが可能である。
【００３９】
また、プロジェクタ９により、同じ映像表示を常時（例えば繰り返し）行うようにしても良いし、タイムスケジュールに従って映像の切り替えを行うようにしても良い。
【００４０】
また、プロジェクタ９は、常時映像の表示に用いるのではなく、一時的に、スポットライトのように用いることもできる。例えば、単一色（赤、青、或いは緑など）の光を透過型スクリーンの全面に照射させるようなことが可能である。
【００４１】
以上のような第１の実施形態によれば、展示装置１００は、透過型スクリーン（例えば第１透過型スクリーン６及び第２透過型スクリーン７）と、透過型スクリーンに映像を投影するプロジェクタ９と、を備えている。そして、展示装置１００は、透過型スクリーンを基準としてプロジェクタ９とは反対側において展示物１０を支持可能に構成されている。
よって、映像の表示を展示物１０の近傍などにおいて効果的に行うことが容易である。
【００４２】
なお、例えば、透過型スクリーンを基準として展示物１０と同じ側に配置されたプロジェクタから映像を投影する場合は、展示物１０の陰になる部位や台５の陰になる部位には映像を表示することができない。
これに対し、本実施形態では、それらの部位にも映像を表示することができる。よって、展示装置１００の四方の何れの位置からも、プロジェクタ９により表示される映像を容易に視認することが可能となる。
なお、プロジェクタ９から透過型スクリーンに映像を投影する、すなわちプロジェクタ９から物体の表面に映像を投影するため、空間像を表示する場合などと比べて、明瞭な表示を容易に行うことができる。よって、映像の訴求性を確実に高めることができる。
【００４３】
また、展示装置１００は、プロジェクタ９を収容する筐体１を備え、筐体１の外殻の一部分が透過型スクリーンにより構成されている。よって、プロジェクタ９を筐体１内に隠すことができる。
【００４４】
また、筐体１の外殻の上面部３は、展示物１０を支持する台５を有するとともに、当該上面部３は、透過型スクリーンを含んでいる。よって、筐体１の台５によって展示物１０を支持でき、且つ、展示物１０の近傍において効果的な映像表示を行うことができる。
【００４５】
より具体的には、例えば、台５は中空であり、少なくとも台５の側面が透過型スクリーン（第１透過型スクリーン６）である。これにより、台５の側面において、効果的な映像表示を行うことができる。
【００４６】
また、台５が裾広がりとなるように第１透過型スクリーン６が傾斜していることにより、第１透過型スクリーン６において、映像をより明瞭に、且つ簡易な補正処理によって、表示させることができる。
すなわち、第１透過型スクリーン６は、水平でもなく、且つ、鉛直でもない面であるため、第１透過型スクリーン６に表示される映像において、容易に立体感を演出することが可能となるなど、より訴求性の高い映像表示が可能となる。
【００４７】
また、台５の上面も透過型スクリーン（第２透過型スクリーン７）であることにより、展示物１０を支持する部位においても映像を表示することができる。
【００４８】
また、台５の内部空間はプロジェクタ９の配置領域と連通しているので、第１透過型スクリーン６及び第２透過型スクリーン７に対し、より明瞭に映像を投影することができる。
【００４９】
また、プロジェクタ９は、筐体１に固定され、且つ、映像の焦点が透過型スクリーンに合うように調整されているので、展示装置１００を新しい場所に配置する度にプロジェクタ９の焦点位置の調整を行う必要が無い。
【００５０】
〔第２の実施形態〕
図４（ａ）及び（ｂ）は第２の実施形態に係る展示装置１００の正面断面図である。
図５は第２の実施形態に係る展示装置１００のブロック図である。
【００５１】
本実施形態に係る展示装置１００は、以下に説明する点で、上記の第１の実施形態に係る展示装置１００と相違し、その他の点では、上記の第１の実施形態に係る展示装置１００と同様に構成されている。
【００５２】
本実施形態の場合、展示装置１００は、当該展示装置１００により展示物１０が支持される位置を撮像するＣＣＤカメラなどの撮像部１４（図４、図５）を備えている。展示物１０が支持される位置とは、展示物１０が展示されることを予定している展示予定位置２４（図４）である。
撮像部１４により撮像された画像は、制御部１１に入力される。
そして、制御部１１は、撮像部１４により撮像された画像に基づいて、プロジェクタ９による投影を制御する。
【００５３】
一例として、撮像部１４は、展示予定位置２４を随時撮像し、制御部１１は、撮像部１４により撮像された最新の画像に基づいて、展示予定位置２４に展示物１０が展示されたか否かを随時判定する。
例えば、撮像部１４は、所定時間毎（例えば１秒ごとなど）に、展示予定位置２４を撮像する。
また、制御部１１は、所定時間毎（例えば１秒ごとなど）に、撮像部１４により撮像された画像の判定を行う。
そして、図４（ａ）に示すように、展示予定位置２４に展示物１０が展示されていない状態では、制御部１１は、プロジェクタ９に映像の投影は行わせない。
一方、図４（ｂ）に示すように、展示予定位置２４に展示物１０が展示された状態では、制御部１１は、プロジェクタ９に映像の投影を行わせる。
よって、展示予定位置２４における展示物１０の有無に応じて、プロジェクタ９による投影の有無を切り換えることができる。
【００５４】
或いは、制御部１１は、展示予定位置２４における展示物１０の有無に応じて、異なる映像をプロジェクタ９により投影させるように構成されていても良い。
【００５５】
或いは、制御部１１は、撮像部１４により撮像された画像に基づいて展示物１０の種類を判別し、その判別結果に応じてプロジェクタ９による投影を制御しても良い。
例えば、制御部１１は、展示物１０の種類の判別結果に応じて、異なる映像をプロジェクタ９により投影させたり、或いは、展示された展示物１０が特定の種類のものであると判定した場合にのみプロジェクタ９により映像を投影させたりする。
これにより、展示予定位置２４に展示された展示物１０の種類の変更に伴わせて、投影される映像を切り換えたり、或いは投影の有無を切り換えたりすることなどが可能である。
【００５６】
或いは、展示予定位置２４又はその近傍で、操作者が予め定められたジェスチャーを手振りで行った場合に、制御部１１がそのジェスチャーを判別（ジェスチャーの有無の判別、或いはジェスチャーの種類の判別）し、その判別結果に応じて、プロジェクタ９による投影を制御しても良い。
【００５７】
撮像部１４を配置する位置は、筐体１の内部であっても良いし、外部であっても良い。
【００５８】
撮像部１４が筐体１の内部に配置されている場合は、撮像部１４は、図４に示すように、プロジェクタ９による投影を阻害しない位置に配置されている。
第１透過型スクリーン６は半透明であるため、筐体１内に配置された撮像部１４から、第１透過型スクリーン６上に載置された展示物１０のシルエットを、第１透過型スクリーン６を介して撮像することができる。制御部１１は、そのシルエットの形状、或いは、展示物１０のシルエットの有無に基づいて、プロジェクタ９による投影を制御する。
なお、撮像部１４を筐体１内に配置する場合は、撮像部１４の視野に展示予定位置２４が収まるような位置に、予め撮像部１４が固定されていることが好ましい。
【００５９】
一方、撮像部１４を筐体１の外部に配置する場合は、展示予定位置２４を直接撮像可能な位置に撮像部１４を配置することができる。
【００６０】
このように、撮像部１４は、展示物１０が支持される位置を直接又は間接に撮像するようになっている。そして、撮像部１４が展示物１０を間接に撮像するという概念には、透過型スクリーンに映った展示物１０のシルエットを撮像することも含まれる。
【００６１】
以上のような第２の実施形態によれば、撮像部１４により撮像された画像に基づいてプロジェクタ９による投影を制御することが可能である。
その一例として、撮像部１４により撮像された画像に基づいて展示物１０の種類を判別し、その判別結果に応じてプロジェクタ９による投影を制御することができる。
【００６２】
〔第３の実施形態〕
図６は第３の実施形態に係る展示装置１００の正面断面図である。
図７は第３の実施形態に係る展示装置１００のブロック図である。
【００６３】
本実施形態に係る展示装置１００は、以下に説明する点で、上記の第１又は第２の実施形態に係る展示装置１００と相違し、その他の点では、上記の第１又は第２の実施形態に係る展示装置１００と同様に構成されている。
【００６４】
本実施形態の場合、例えば、筐体１の上面部３の全体が、台５により構成されている。従って、第２透過型スクリーン７の面積をより広く確保することができるため、例えば、より多くの展示物１０、或いは、より大きな展示物１０を台５により支持することが可能である。一例として、図６には、複数（例えば２つ）の展示物１０を台５上に支持した状態を示している。
【００６５】
また、本実施形態の場合、展示装置１００は、例えば、複数のプロジェクタを備えている。すなわち、上記の第１及び第２の実施形態における展示装置１００は１つのプロジェクタ９を備えていたのに対し、本実施形態における展示装置１００は、図６及び図７に示すように２つのプロジェクタ（第１プロジェクタ９ａ及び第２プロジェクタ９ｂ）を備えている。
そして、制御部１１は、第１プロジェクタ９ａによる投影の制御と、第２プロジェクタ９ｂによる投影の制御とを行う。
【００６６】
図６に示すように、展示装置１００は、筐体１内において第１プロジェクタ９ａ及び第２プロジェクタ９ｂを支持する台座１５を備えている。台座１５は、例えば、底面８上に配置（好ましくは固定）されている。
【００６７】
台座１５の上面側には、第１プロジェクタ９ａの下部を保持する第１凹部と、第２プロジェクタ９ｂの下部を保持する第２凹部と、が形成されている。
そして、第１プロジェクタ９ａは、その下部が台座１５の第１凹部により保持されている。これにより、第１プロジェクタ９ａは、第１プロジェクタ９ａからの投影光の方向が図６における左上の方向となる姿勢で、台座１５上に支持されている。
一方、第２プロジェクタ９ｂは、その下部が台座１５の第２凹部により保持されている。これにより、第２プロジェクタ９ｂは、第２プロジェクタ９ｂからの投影光の方向が図６における右上の方向となる姿勢で、台座１５上に支持されている。
これにより、第１プロジェクタ９ａは、図６における第１透過型スクリーン６及び第２透過型スクリーン７の左半部に対して映像を投影可能となっている。また、第２プロジェクタ９ｂは、図６における第１透過型スクリーン６及び第２透過型スクリーン７の右半部に対して映像を投影可能となっている。
【００６８】
また、制御部１１は、第１プロジェクタ９ａによる投影の制御と、第２プロジェクタ９ｂによる投影の制御と、を並行して行うことが可能となっている。
よって、第１透過型スクリーン６及び第２透過型スクリーン７の全面において、同時に映像表示を行うことができる。
【００６９】
以上のような第３の実施形態によれば、筐体１の上面部３の全体が台５により構成されているので、第２透過型スクリーン７の面積をより広くすることができるとともに、台５によってより多くの展示物１０、或いはより大きな展示物１０を支持可能となる。
また、展示装置１００は、複数（例えば２つ）のプロジェクタを備えているので、複数のプロジェクタにより分担して映像を投影することができる。よって、より広い透過型スクリーンに映像を投影することが容易となる。
【００７０】
なお、上記の各実施形態においては、透過型スクリーンの各部（第１の実施形態における台５の各側面である第１透過型スクリーン６、及び、台５の上面である第２透過型スクリーン７など）が平面状に形成されている例を説明したが、透過型スクリーン（或いは透過型スクリーンの少なくとも一部分）は、曲面状に形成されていても良い。一例として、台５は円錐台形状に形成されていても良い。
【００７１】
また、上記の第１及び第２の実施形態においては、台５の周囲の上面４が透過型スクリーンではない例を説明したが、上面４も透過型スクリーンであっても良い。
或いは、上記の第１及び第２の実施形態においては、台５の側面及び上面がそれぞれ透過型スクリーンである例を説明したが、台５の側面と上面とのうちの何れか一方のみが透過型スクリーンであっても良い。また、透過型スクリーンであるのは、台５の側面の一部分のみ、或いは、台５の上面の一部分のみであっても良い。
【００７２】
また、上記の各実施形態では筐体１の上面部３において展示物１０の展示と映像の表示とを行う例を説明したが、図８に示す変形例１のように、筐体１の側面部１６において展示物１０の展示と映像の表示とを行うようにしても良い。この場合、例えば、筐体１の側面２には凸部１７が設けられていて、凸部１７には板状などの形状の載置棚２０が設けられている。そして、載置棚２０上に展示物１０を支持及び展示可能となっている。ここで、側面部１６は、凸部１７と、凸部１７が設けられた側面２とを含む部分である。
凸部１７は、例えば、台５と同様の形状に形成されており、台５を横倒しにした姿勢（例えば図１の台５を反時計回りに９０°回転させた姿勢）で配置されている。すなわち、凸部１７は、例えば、四角錐台形状に形成されている。凸部１７は、側面２に対して平行に、且つ側面２の側方に位置している鉛直な平面状のである第２透過型スクリーン１９と、第２透過型スクリーン１９と側面２とを繋ぐ傾斜した４つの平面状の部分からなる第１透過型スクリーン１８と、を有している。
プロジェクタ９は、第１透過型スクリーン１８及び第２透過型スクリーン１９に映像を投影する。なお、プロジェクタ９は、例えば、凸部１７が形成された側面部１６とは反対側の側面２に固定されており、投影光を水平方向に放射する。
載置棚２０は、第２透過型スクリーン１９の外面より側方（外方）に向けて突出しており、その上面において展示物１０を支持可能となっている。
なお、筐体１は、図８に示すような側面部１６と図１に示すような上面部３との双方を有していて、展示装置１００は、上面部３と側面部１６との双方において、展示物１０の展示と映像の表示とを行うことが可能となっていても良い。
【００７３】
また、上記の各実施形態では、筐体１の上面部３が有する台５において展示物１０の展示と映像の表示とを行う例を説明した。ただし、図９に示す変形例２のように、筐体１の上面部３には上面４よりも下方に窪んだ凹部２１が台５の代わりに形成されていて、凹部２１において展示物１０の支持（展示）と映像の表示を行うようにしても良い。
凹部２１は、例えば、水平な底面と傾斜した側面とを有している。本変形例では、凹部２１の底面上において展示物１０を支持及び展示可能となっている。
凹部２１は、例えば、逆角錐台形状、すなわち台５を上下反転させたような形状に形成されている。
変形例２の場合、展示装置１００は、凹部２１の側面により構成された第１透過型スクリーン２２と、凹部２１の底面により構成された第２透過型スクリーン２３と、を有する。プロジェクタは、これら第１透過型スクリーン２２及び第２透過型スクリーン２３に映像を投影する。なお、図９に示すように１つのプロジェクタ９により投影を行っても良いし、複数のプロジェクタにより分担して第１透過型スクリーン２２及び第２透過型スクリーン２３に対する投影を行っても良い。
【００７４】
また、上記の各実施形態では、筐体１（の外殻）が直方体形状である例を説明したが、筐体１の形状は、その他の形状でも良い。例えば、側面２が円筒形状であっても良い。
また、筐体１において、台５を除く部分の全体又は一部分は、建築構造物（建物の壁や床面等）に埋め込まれていても良い。同様に、筐体１において、凸部１７及び載置棚２０を除く部分の全体又は一部分は、建築構造物に埋め込まれていても良い。
【００７５】
この出願は、２０１５年２月２７日に出願された日本出願特願２０１５−０３８６３８号を基礎とする優先権を主張し、その開示の全てをここに取り込む。
【図１】
2016136067.tif 000003
【図２】
2016136067.tif 000004
【図３】
2016136067.tif 000005
【図４】
2016136067.tif 000006
【図５】
2016136067.tif 000007
【図６】
2016136067.tif 000008
【図７】
2016136067.tif 000009
【図８】
2016136067.tif 000010
【図９】
2016136067.tif 000011
【国際調査報告】
2016136067.tif 000012
2016136067.tif 000013
2016136067.tif 000014
2016136067.tif 000015